【手続補正書】
【提出日】平成17年5月6日(2005.5.6)
【手続補正１】
【補正対象書類名】明細書
【補正対象項目名】０００７
【補正方法】変更
【補正の内容】
【０００７】
本発明は、Ｍ段の転送素子を用いて、転送素子の段数Ｍよりも少ないＮ個のデータをＮ個のクロック信号を用いてスキップ転送することができるシフトレジスタ、並びにそれを用いた表示ドライバ装置、表示装置及び電子機器提供することにある。
【手続補正２】
【補正対象書類名】明細書
【補正対象項目名】０００９
【補正方法】変更
【補正の内容】
【０００９】
Ｎ段の転送素子の各々は、前記シフト用クロック信号に基づいて、該転送素子が保持していたデータ信号に代えて、入力されたデータ信号を新たに保持する。一方、前記（Ｍ−Ｎ）段の転送素子の各々は、前記スキップ用固定論理信号に基づいて、前段側の転送素子が保持していたデータ信号を次段側の転送素子にスルーさせる。こうして、Ｍ段の転送素子を用いて、転送素子の段数Ｍよりも少ないＮ個のデータをＮ個のクロック信号を用いてスキップ転送することができるので、データ転送時間を短縮できる。
【手続補正３】
【補正対象書類名】明細書
【補正対象項目名】００１４
【補正方法】変更
【補正の内容】
【００１４】
本発明の一態様では、前記制御回路は、前記一サイクルに続く次の一サイクルでは、前記制御信号に基づいて、前記（Ｍ−Ｎ）段の転送素子に前記シフト用クロック信号を、前記Ｍ段の転送素子に前記スキップ用固定論理信号をそれぞれ供給することができる。こうして、各サイクル毎に、一つの転送素子を、データ転送用とデータスルー用とに使分けることができる。
【手続補正４】
【補正対象書類名】明細書
【補正対象項目名】００２２
【補正方法】変更
【補正の内容】
【００２２】
蛍光表示管２０は、例えば７つのグリッド２２（Ｇ１〜Ｇ７）と、それらと対向する例えば計５４個のアノード２４とを有する。７つのグリッド２２の各々には、１本のグリッド線２６が接続されている。アノード２４は、３段の各段に１８個ずつ設けられている。各段に設けられた１８個のアノード２４の各々には、６本のアノード線２８のいずれか１本が接続されている。いずれか１本のアノード線２８は、ｎ（ｎは左端からの任意の番号でｎ＝１〜６）、ｎ＋６、ｎ＋１２番目のアノード２４に共通接続されている。
【手続補正５】
【補正対象書類名】明細書
【補正対象項目名】００３３
【補正方法】変更
【補正の内容】
【００３３】
このシフトレジスタ５０は、一サイクル内に順次入力されるＮ（本実施形態ではＮ＝９）個のデータ信号群を転送するＭ（本実施形態ではＭ＝１８）段の転送素子５１Ａ〜５１Ｆ、５２Ａ〜５２Ｆ、５３Ａ〜５３Ｆ（５２Ｃ〜５２Ｅ、５３Ａ〜５３Ｃ、５３Ｅ、５３Ｆは図２では省略）を有する。本実施形態では、図３に示す奇数番目の一サイクル内に転送される９個のデータ信号群は、図３に示す入力データ信号１ａ〜１ｃ、２ａ〜２ｃ、３ａ〜３ｃであり、これらはアノード信号１Ａ〜１Ｃ、２Ａ〜２Ｃ、３Ａ〜３Ｃに相当する。一方、図３に示す偶数番目の一サイクル内に転送される９個のデータ信号群は、入力データ信号１ｄ〜１ｆ、２ｄ〜２ｆ、３ｄ〜３ｆであり、これらはアノード信号１Ｄ〜１Ｆ、２Ｄ〜２Ｆ、３Ｄ〜３Ｆに相当する。
【手続補正６】
【補正対象書類名】明細書
【補正対象項目名】００３５
【補正方法】変更
【補正の内容】
【００３５】
つまり、１段目の転送素子５１Ａの出力が１段目のアノード信号１Ａに対応し、２段目の転送素子５１Ｆの出力が２段目のアノード信号１Ｆに対応し、最終段の転送素子５３Ｄの出力が最終段のアノード信号３Ｄに対応する。
【手続補正７】
【補正対象書類名】明細書
【補正対象項目名】００３９
【補正方法】変更
【補正の内容】
【００３９】
このために、本実施形態では、奇数番目の一サイクルでは、図２示す奇数番目の転送素子５１Ａ，５１Ｂ，５１Ｃ，５２Ａ，５２Ｂ，５２Ｃ，５３Ａ，５３Ｂ，５３Ｃのみが、該転送素子が保持していたデータ信号に代えて、入力されたデータ信号を新たに保持するという本来の転送動作を実施する。この場合、図２に示す偶数番目に位置する転送素子５１Ｆ，５１Ｅ，５１Ｄ，５２Ｆ，５２Ｅ，５２Ｄ，５３Ｆ，５３Ｅ，５３Ｄでは、前段側の転送素子が保持していたデータ信号を次段側の転送素子にスルーさせている。
【手続補正８】
【補正対象書類名】明細書
【補正対象項目名】００４０
【補正方法】変更
【補正の内容】
【００４０】
逆に、偶数番目の一サイクルでは、図２示す偶数番目の転送素子５１Ｆ，５１Ｅ，５１Ｄ，５２Ｆ，５２Ｅ，５２Ｄ，５３Ｆ，５３Ｅ，５３Ｄのみが、該転送素子が保持していたデータ信号に代えて、入力されたデータ信号を新たに保持するという本来の転送動作を実施する。この場合、図２示す奇数番目に位置する転送素子５１Ａ，５１Ｂ，５１Ｃ，５２Ａ，５２Ｂ，５２Ｃ，５３Ａ，５３Ｂ，５３Ｃでは、前段側の転送素子が保持していたデータ信号を次段側の転送素子にスルーさせている。
【手続補正９】
【補正対象書類名】明細書
【補正対象項目名】００４１
【補正方法】変更
【補正の内容】
【００４１】
本実施形態では、データをスルーさせた転送素子も、そのデータ自体を保持する機能を有している。従って、１番目及び２番目の転送素子５１Ａ，５１Ｆからの出力は、奇数サイクルではデータ信号１ａとなり、偶数サイクルではデータ信号１ｆとなり、図２では１番目及び２番目の転送素子５１Ａ，５１Ｆからの出力を１ａ／１ｆと示している。同様に、図２では、各転送素子の出力を、（奇数サイクルでの出力）／（偶数サイクルでの出力）として表している。
【手続補正１０】
【補正対象書類名】明細書
【補正対象項目名】００４３
【補正方法】変更
【補正の内容】
【００４３】
制御信号ＤＥＮＡは、奇数サイクルか偶数サイクルかを示す信号である。換言すれば、制御回路５４は、制御信号ＤＥＮＡに基づいて、奇数サイクルでは図２示す奇数番目の転送素子５１Ａ，５１Ｂ，５１Ｃ，５２Ａ，５２Ｂ，５２Ｃ，５３Ａ，５３Ｂ，５３Ｃのみにて転送動作させ、他の偶数番目の転送素子５１Ｆ，５１Ｅ，５１Ｄ，５２Ｆ，５２Ｅ，５２Ｄ，５３Ｆ，５３Ｅ，５３Ｄではスキップ動作させる。逆に、制御回路５４は、制御信号ＤＥＮＡに基づいて、偶数サイクルでは図２示す偶数番目の転送素子５１Ｆ，５１Ｅ，５１Ｄ，５２Ｆ，５２Ｅ，５２Ｄ，５３Ｆ，５３Ｅ，５３Ｄのみにて転送動作させ、他の奇数番目の転送素子５１Ａ，５１Ｂ，５１Ｃ，５２Ａ，５２Ｂ，５２Ｃ，５３Ａ，５３Ｂ，５３Ｃではスキップ動作させる。
【手続補正１１】
【補正対象書類名】明細書
【補正対象項目名】００４４
【補正方法】変更
【補正の内容】
【００４４】
これらの動作を切り換えるために、偶数番目の転送素子５１Ｆ，５１Ｅ，５１Ｄ，５２Ｆ，５２Ｅ，５２Ｄ，５３Ｆ，５３Ｅ，５３Ｄにはクロック信号ＥＣＫ１，／ＥＣＫ１，ＥＣＫ２，／ＥＣＫ２が供給される。同様に、奇数番目の転送素子５１Ａ，５１Ｂ，５１Ｃ，５２Ａ，５２Ｂ，５２Ｃ，５３Ａ，５３Ｂ，５３Ｃには、クロック信号ＯＣＫ１，／ＯＣＫ１，ＯＣＫ２，／ＯＣＫ２が供給される。
【手続補正１２】
【補正対象書類名】明細書
【補正対象項目名】００４５
【補正方法】変更
【補正の内容】
【００４５】
（転送素子の具体的構成）
図４に、第１段目の転送素子５１Ａと第２段目の転送素子５１Ｆとを示す。転送素子５１Ａは、シフト方向Ａの前段に設けられた第１のクロックドインバータ６１と、シフト方向Ａの後段にて第１のクロックドインバータ６１に直列接続されたフリップフロップ６０とを有する。このフリップフロップ６０は、第２及び第３のクロックドインバータ６２，６３をループ接続して構成される。同様に、次段の転送素子５１Ｆも、フリップフロップ７０と第１のクロックドインバータ７１とを有し、フリップフロップ７０は第２及び第３のクロックドインバータ７２，７３をループ接続して構成される。
【手続補正１３】
【補正対象書類名】明細書
【補正対象項目名】００４９
【補正方法】変更
【補正の内容】
【００４９】
従って、偶数番目の転送素子５１Ｆでは、入力データがＨＩＧＨであれば、第１のクロックドインバータ７１の出力がＬＯＷとなり、その後段の第２のクロックドインバータ７２の出力がＨＩＧＨとなり、入力データがそのまま出力されることになる。このとき、第２，第３のクロックドインバータ７２，７３で構成されるフリップフロップ７０によりＨＩＧＨデータが保持される。偶数番目の転送素子５１Ｆへの入力データがＬＯＷであれば、それがスルーされて出力データもＬＯＷとなり、フリップフロップ７０にてＬＯＷデータが保持される。以上のデータスルー動作は、偶数番目の転送素子５１Ｆ，５１Ｅ，５１Ｄ，５２Ｆ，５２Ｅ，５２Ｄ，５３Ｆ，５３Ｅ，５３Ｄの全てにて実施される。
【手続補正１４】
【補正対象書類名】明細書
【補正対象項目名】００５１
【補正方法】変更
【補正の内容】
【００５１】
このシフト用クロック信号ＯＣＫ１，ＯＣＫ２は、立上がりエッジ（第１エッジ）と立ち下がりエッジ（第２エッジ）とを有する。奇数番目の転送素子５１Ａの第１のクロックドインバータ６１は、シフト用クロック信号ＯＣＫ１の立ち上がりエッジ（第１エッジ）のタイミングでＰ型トランジスタＴｒ１及びＮ型トランジスタＴｒ４がオンするので、このタイミングで入力データを反転して転送する。さらに、その後段の第２のクロックドインバータ６２は、シフト用クロック信号ＯＣＫ２の立下りエッジ（第２エッジ）のタイミングＰ型トランジスタＴｒ１及びＮ型トランジスタＴｒ４がオンするので、このタイミングで、第１のクロックドインバータ６１を介して入力されたデータ信号を反転して転送する。第２のクロックドインバータ６２の出力は、フリップフロップ６０にて保持される。こうして、最初のデータ信号３ｃが、最初のクロック信号ＯＣＫ１，ＯＣＫ２の立下りエッジ（第２のエッジ）のタイミングにて、１段目の転送素子５１Ａにて保持されることになる。
【手続補正１５】
【補正対象書類名】明細書
【補正対象項目名】００５３
【補正方法】変更
【補正の内容】
【００５３】
シフト用クロック信号ＯＣＫ１の２番目の立ち下がりエッジで、２番目のデータ信号３ｂが第１段の転送素子５１Ａにより、１番目のデータ信号３ｃが第３段目の転送素子５１Ｂにより、それぞれ転送される。このときも、２段目及び４段目の転送素子５１Ｆ，５１Ｅはスルー動作を行う。
【手続補正１６】
【補正対象書類名】明細書
【補正対象項目名】００５４
【補正方法】変更
【補正の内容】
【００５４】
以降の動作を繰り返すことで、９発目のクロック信号ＯＣＫ１，ＯＣＫ２の立下りエッジで、９番目のデータ信号１ａが第１段目の転送素子５１Ａに保持されることになる。この時の１８段の転送素子５１Ａ〜５１Ｆ、５２Ａ〜５２Ｆ、５３Ａ〜５３Ｆの出力状態を、図２中に奇数サイクルでの出力として示す。
【手続補正１７】
【補正対象書類名】明細書
【補正対象項目名】００５７
【補正方法】変更
【補正の内容】
【００５７】
一方、偶数番目の転送素子５１Ｆ，５１Ｅ，５１Ｄ，５２Ｆ，５２Ｅ，５２Ｄ，５３Ｆ，５３Ｅ，５３Ｄに入力されるクロック信号ＥＣＫ１，ＥＣＫ２は、クロック信号ＣＫの逆相信号（つまり反転クロック信号／ＣＫと同じ）と同じシフト用クロック信号となる。また、図３では省略しているが、反転クロック信号／ＥＣＫ１，／ＥＣＫ２は、クロック信号ＣＫと同じシフト用クロック信号となる。
【手続補正１８】
【補正対象書類名】明細書
【補正対象項目名】００５８
【補正方法】変更
【補正の内容】
【００５８】
よって、偶数番目の転送素子５１Ｆ，５１Ｅ，５１Ｄ，５２Ｆ，５２Ｅ，５２Ｄ，５３Ｆ，５３Ｅ，５３Ｄにて、クロック信号ＥＣＫ１，ＥＣＫ２の立下りエッジのタイミングで、それぞれデータ転送が実施されることになる。
【手続補正１９】
【補正対象書類名】明細書
【補正対象項目名】００６３
【補正方法】変更
【補正の内容】
【００６３】
論理固定回路８０の一例を図７に示す。図７は、論理固定回路８０の一部を示し、第１段の転送素子５１Ａ及び第２段の転送素子５１Ｆの出力段に接続される部分を示している。各転送素子５１Ａ，５１Ｆの出力側には、各転送素子５１Ａ，５１Ｆの出力と非表示データ（例えばグランド電位）とを選択するスイッチ回路８２が設けられている。このスイッチ回路８２は、各転送素子５１Ａ，５１Ｆの出力線に接続された第１のトランスミッションゲート８２Ａと、接地電位に接続された第２のトランスミッションゲート８２Ｂとを有する。第１，第２のトランスミッションゲート８２Ａ，８２Ｂは、いずれか一方がオンするように、例えば制御信号ＤＥＮＡの論理によって切り換えられる。図７の場合、奇数サイクルでは制御信号ＤＥＮＡの論理がＨＩＧＨとされ、奇数段の転送素子５１Ａに接続された第１のトランスミッションゲート８２Ａがオンされる。よって、図２に示す奇数番目の転送素子５１Ａ，５１Ｂ，５１Ｃ，５２Ａ，５２Ｂ，５２Ｃ，５３Ａ，５３Ｂ，５３Ｃから、データ信号１ａ〜１ｃ、２ａ〜２ｃ、３ａ〜３ｃが論理固定回路８０を通過してラッチ回路９０にラッチされる。
【手続補正２０】
【補正対象書類名】明細書
【補正対象項目名】００６４
【補正方法】変更
【補正の内容】
【００６４】
奇数サイクルでは、図７に示す偶数番目の転送素子５１Ｆに接続された第１のトランスミッションゲート８２Ａはオフされる。代わりに、第２のトランスミッションゲート８２Ｂがオンされ、接地電位（非表示データ“０”）が出力される。こうして、図２に示す偶数番目の転送素子５１Ｆ，５１Ｅ，５１Ｄ，５２Ｆ，５２Ｅ，５２Ｄ，５３Ｆ，５３Ｅ，５３Ｄからの出力１ａ〜１ｃ、２ａ〜２ｃ、３ａ〜３ｃは論理固定回路８０にて通過が阻止され、代わりに非表示データ“０”がラッチ回路９０にラッチされる。
【手続補正２１】
【補正対象書類名】明細書
【補正対象項目名】００６６
【補正方法】変更
【補正の内容】
【００６６】
偶数サイクルでは、制御信号ＤＥＮＡの論理がＬＯＷとされ、図２に示す偶数番目の転送素子転送素子５１Ｆ，５１Ｅ，５１Ｄ，５２Ｆ，５２Ｅ，５２Ｄ，５３Ｆ，５３Ｅ，５３Ｄからの出力１ｄ〜１ｆ、２ｄ〜２ｆ、３ｄ〜３ｆが論理固定回路８０を通過してラッチ回路９０にラッチされる。逆に、図２に示す奇数番目の転送素子５１Ａ，５１Ｂ，５１Ｃ，５２Ａ，５２Ｂ，５２Ｃ，５３Ａ，５３Ｂ，５３Ｃからの出力１ｄ〜１ｆ、２ｄ〜２ｆ、３ｄ〜３ｆは論理固定回路８０にて通過が阻止され、代わりに非表示データ“０”がラッチ回路９０にラッチされる。よって、偶数サイクルであっても、点灯画素領域内の画素のみに点灯データを送出することができ、蛍光表示管２０を最適に表示駆動できる。
【手続補正２２】
【補正対象書類名】明細書
【補正対象項目名】００６８
【補正方法】変更
【補正の内容】
【００６８】
また、図４とは異なり、転送素子５１Ａの第３のクロックドインバータ６３に供給されるクロック信号をＯＣＫ３，／ＯＣＫ３と定義し、転送素子５１Ｆの第３のクロックドインバータ７３に供給されるクロック信号をＥＣＫ３，／ＥＣＫ３と定義する。追加された第４のクロックドインバータ６４にはクロック信号ＯＣＫ４，／ＯＣＫ４が供給され、追加された第４のクロックドインバータ７４にはクロック信号ＥＣＫ４，／ＥＣＫ４が供給される。
【手続補正２３】
【補正対象書類名】明細書
【補正対象項目名】００６９
【補正方法】変更
【補正の内容】
【００６９】
ここで、シフト方向Ａ及び逆シフト方向Ｄの時の各クロック信号の態様を図１０及び図１１に示す。
【手続補正２４】
【補正対象書類名】明細書
【補正対象項目名】００７１
【補正方法】変更
【補正の内容】
【００７１】
次に、図１１に示す逆シフト方向Ｄへのシフト動作にあっては、図８及び図９に示す第２のクロックドインバータ６２，７２はそれぞれ動作させる必要がない。このため、図１１に示すように、奇数サイクル及び偶数サイクルの双方にて、第２のクロックドインバータ６２，７２へのクロック信号ＯＣＫ２＝ＥＣＫ２＝ＨＩＧＨ固定とし、反転クロック信号／ＯＣＫ２＝／ＥＣＫ２＝ＬＯＷ固定とする。こうすると、第２のクロックドインバータ６２，７２のＰ型トランジスタＴｒ１とＮ型トランジスタＴｒ４は常にオフであり、第２のクロックドインバータ６２，７２はオープン状態となる。なお、この場合は、転送素子５１Ａにあっては、第３のクロックドインバータ６３が前段のインバータとして機能し、第１及び第４のクロックドインバータ６１，６４が後段のフリップフロップとして機能する。転送素子５１Ｆでも同様である。
【手続補正２５】
【補正対象書類名】図面
【補正対象項目名】図２
【補正方法】変更
【補正の内容】
【図２】
2005203055.tif 000001
【手続補正２６】
【補正対象書類名】図面
【補正対象項目名】図３
【補正方法】変更
【補正の内容】
【図３】
2005203055.tif 000002
【手続補正２７】
【補正対象書類名】図面
【補正対象項目名】図７
【補正方法】変更
【補正の内容】
【図７】
2005203055.tif 000003